(57)【要約】      （修正有）【課題】地震の発生時にエレベーター監視制御システムが妨げられないように動作し、エレベーターの遠隔モニタリングを実現し、地震の震度によってエレベーターに対して異なる制御と警告をし、エレベーターの誤った警告を減らす地震監視制御システムを提供する。【解決手段】エレベーター地震監視制御システムは、Ｐ波センサーと、Ｓ波センサーと、地震探知データ処理ユニットと、コントローラーと、エレベーターシステムとを備え、前記Ｐ波センサーとＳ波センサーが前記地震探知データ処理ユニットと接続し、前記地震探知データ処理ユニットが前記コントローラーと接続し、前記コントローラーが前記エレベーターシステムと接続し、前記エレベーターシステムは前記コントローラーと接続する無線送受信ユニットと、音声収集ユニットと、表示ユニットと、警告ユニットとを備える。【選択図】図１
0003181859.tif 000002
【実用新案登録請求の範囲】
【請求項１】
Ｐ波センサーと、Ｓ波センサーと、地震探知データ処理ユニットと、コントローラーと、エレベーターシステムとを備え、
前記Ｐ波センサーとＳ波センサーが前記地震探知データ処理ユニットと接続し、前記地震探知データ処理ユニットが前記コントローラーと接続し、前記コントローラーが前記エレベーターシステムと接続し、
前記エレベーターシステムは、前記コントローラーと接続する無線送受信ユニットと、音声収集ユニットと、表示ユニットと、警告ユニットとを備えることを特徴とする、エレベーター地震監視制御システム。
【請求項２】
前記地震探知データ処理ユニットはフィルタ・アンプ回路とアナログ・デジタル・コンバーターとを備え、前記フィルタ・アンプ回路が前記Ｐ波センサーとＳ波センサーとそれぞれ接続し、前記フィルタ・アンプ回路が前記アナログ・デジタル・コンバーターと接続し、前記アナログ・デジタル・コンバーターが前記コントローラーと接続することを特徴とする、請求項１記載のエレベーター地震監視制御システム。
【請求項３】
前記無線送受信ユニットは無線送信器と無線受信機とによって構成され、前記無線送信器がエレベーターに設置され、前記無線受信機がモニターセンターに設置されることを特徴とする、請求項１又は２記載のエレベーター地震監視制御システム。
【考案の詳細な説明】
【技術分野】
【０００１】
本考案は電気監視制御技術、特にエレベーター地震監視制御システムに関するものである。
【背景技術】
【０００２】
中国における急速な都市建設、高層ビルの増加に従って、エレベーターがよく使われる運行手段となった。中国は地震の発生しやすい国であり、２０世紀以降震度６以上の地震が約８００回発生している。統計によると、７０％以上のエレベーターが地震地域に設置されていることがわかった。モニターセンターは、一般的にサポート契約によって広いエリアの複数のエレベーターを監視する。そのため、広いエリアで地震が発生した場合、広いエリアの多数のエレベーターの地震センサーが一気に反応し、同時に通信回路を通じて測定信号をモニターセンターへ送信する。その結果、モニタ―センターの通信負荷をオーバーし、通信できなくなる状態に陥る問題がある。
【０００３】
こういった事態が発生した場合、震源エリアより遠いエリアでは、地震発生の信号を送信（例えば、かごの中から送信された緊急呼出信号や乗客自身が送信した緊急信号など）しても、モニターセンターの通信回路がビジー状態であるため、これらの信号を受信することができない。その結果、遠隔モニターシステムに大きな影響を与え、監視対象のエレベーターの安全性を保障することができない。つまり、従来の監視制御技術では地震災害をタイムリーに遠隔モニタリングすることができない。
【０００４】
また、従来の監視制御システムでは異なるタイプの地震波に対して異なる測定ができず、測定結果が正確ではないという問題や、間違った警告を行なってしまう問題が存在する。
【考案の概要】
【考案が解決しようとする課題】
【０００５】
そのため、本考案はエレベーター地震監視制御システムを提供し、従来技術のエレベーター地震制御における限界や欠陥によって生じる一つあるいは複数の問題を解決する。
【０００６】
本考案の他の優れた点や目的、特徴の一部を下記の明細書で説明する。他の一部は当該分野の通常の技術者にとっては下記の説明により明らかになる。明細書と請求項、図面で特別に説明した構造によって本考案の目的と長所を理解することができる。
【課題を解決するための手段】
【０００７】
本考案はエレベーター地震監視制御システムを提供する。該システムは、Ｐ波センサーと、Ｓ波センサーと、地震探知データ処理ユニットと、コントローラーと、エレベーターシステムとを備え、前記Ｐ波センサーとＳ波センサーが前記地震探知データ処理ユニットと接続し、前記地震探知データ処理ユニットが前記コントローラーと接続し、前記コントローラーが前記エレベーターシステムと接続し、前記エレベーターシステムが前記コントローラーと接続する、無線送受信ユニットと、音声収集ユニットと、表示ユニットと、警告ユニットとを備える。
【０００８】
前記地震探知データ処理ユニットがフィルタ・アンプ回路とアナログ・デジタル・コンバーターを備え、前記フィルタ・アンプ回路が前記Ｐ波センサーとＳ波センサーとを接続し、前記フィルタ・アンプ回路が前記アナログ・デジタル・コンバーターと接続し、前記アナログ・デジタル・コンバーターが前記コントローラーと接続することが望ましい。
【０００９】
前記無線送受信ユニットが無線送信器と無線受信機とによって構成され、前記無線送信器がエレベーターに設置され、前記無線受信機がモニターセンターに設置されることが望ましい。
【考案の効果】
【００１０】
本考案は地震の発生時にエレベーター監視制御システムが妨げられないように動作し、エレベーターの遠隔モニタリングを実現しており、地震の震度によってエレベーターに対して異なる制御と警告を行い、これによってエレベーターからの誤った警告を減らすことができる。
【図面の簡単な説明】
【００１１】
【図１】本考案の実施例のエレベーター地震監視制御システムの構造を示す図である。
【実施例】
【００１２】
以下では本考案の実施例を図面に基づき説明する。
【００１３】
図１で示すように、本考案はエレベーター地震監視制御システムを提供する。該システムはＰ波センサー１と、Ｓ波センサー２と、地震探知データ処理ユニット３と、コントローラー４と、エレベーターシステム５とを備える。前記Ｐ波センサー１とＳ波センサー２が前記地震探知データ処理ユニット３と接続し、前記地震探知データ処理ユニット３が前記コントローラー４と接続し、前記コントローラー４が前記エレベーターシステム５と接続する。また、前記エレベーターシステム５は、前記コントローラー４と接続する無線送受信ユニット６と、音声収集ユニット７と、表示ユニット８と、警告ユニット９とを備える。
【００１４】
また、本考案の望ましい実施例において、前記地震探知データ処理ユニット３がフィルタ・アンプ回路とアナログ・デジタル・コンバーターを備え、前記フィルタ・アンプ回路が前記Ｐ波センサー１とＳ波センサー２とそれぞれ接続し、前記フィルタ・アンプ回路が前記アナログ・デジタル・コンバーターと接続し、前記アナログ・デジタル・コンバーターが前記コントローラー４と接続する。
【００１５】
本考案が地震の震度によってエレベーターに対して異なる制御を行う工程は以下である。
【００１６】
エレベーター地震監視制御システムがＰ波センサー１によってＰ波を探知した場合、Ｐ波センサー１が探知信号を送信し、該信号がフィルタ・アンプ回路によってフィルタリングされかつ増幅された後、アナログ・デジタル・コンバーターに転送され、アナログ・デジタル・コンバーターが受信したアナログ信号をデジタル信号に変換してコントローラー４に送信し、コントローラー４が前記デジタル信号を測定し、その信号強度からＰ波の強度を判断する。測定したＰ波の強度が３級あるいは３級未満の場合、コントローラー４が一級警告信号を警告ユニット９に送信し、警告ユニット９が音声警告を出すとともに、地震情報を表示ユニット８に送信し、表示ユニット８が受信した地震情報を表示し、コントローラー４がエレベーターシステム５の運行を制御する。コントローラー４が３０分後に新しいＰ波情報あるいはもっと強いＳ波情報を受信しない場合、前記の一級警告信号が解除される。
【００１７】
測定したＰ波が４級あるいは４級以上の場合、コントローラー４が二級警告信号を警告ユニット９に送信し、警告ユニット９が音声警告を出すとともに、地震情報を表示ユニット８に送信し、表示ユニット８が受信した地震情報を表示し、コントローラー４がエレベーターシステム５の運行を制御する。
【００１８】
本考案の望ましい実施例において、前記無線送受信ユニット６が無線送信器と無線受信機とによって構成され、前記無線送信器がエレベーターに設置され、前記無線受信機がモニターセンターに設置される。
【００１９】
本考案の地震センサーは地震探知データ処理ユニットを介してコントローラーと接続し、正確に地震を探知することができる。これによって、タイムリーに監視制御を行い、地震の発生時でも通信回路を確保することができ、監視機能を維持することができる。音声ユニットが災害発生時にかご内の助けを求める声などを収集することができ、無線送受信ユニットは配線などによって制限されず、救助情報をさらに迅速に入手することができる。
【産業上の利用可能性】
【００２０】
上記は本考案の最適実施例であり、本分野の技術者は、本考案に基づいて、具体的な実施例や応用する範囲を変更してもよい、本明細書の内容は本考案を限定するものではない。
【符号の説明】
【００２１】
１  Ｐ波センサー
２  Ｓ波センサー
３  地震探知データ処理ユニット
４  コントローラー
５  エレベーターシステム
６  無線送受信ユニット
７  音声収集ユニット
８  表示ユニット
９  警告ユニット
【図１】
0003181859.tif 000003